(57)【要約】【課題】室内での快適な歩行を実現し、また、踵の角質化やタコや魚の目の発生を防止し得る靴下を提供する。【解決手段】靴下は、足底部１に外形が足裏形状に形成された低反発性ポリウレタンフォームより成るクッション材６を固定して成る。足底部１は上下のシート材１Ａ，１Ｂにより構成されている。上側のシート材１Ａと下側のシート材１Ｂと間に前記クッション材６を挿入して固定することによりクッション材６の上面が上側のシート材１Ａにより覆われる。このシート材１Ａの存在によりクッション材６の上面に足裏が接触しない。【選択図】図１
2005273045.tif 000002
【特許請求の範囲】
【請求項１】
足裏の形状に形成された低反発性ポリウレタンフォームより成るクッション材が足底部に固定されるとともに、前記クッション材の上面は足裏が接触しないようにシート材により覆われて成る靴下。
【請求項２】
前記足底部は、上下のシート材により構成され、上下のシート材間に前記クッション材を挿入して固定することによりクッション材の上面が上側のシート材により覆われている請求項１に記載された靴下。
【請求項３】
前記上側のシート材には上下のシート材間に対するクッション材の出し入れが可能な開口部が設けられている請求項２に記載された靴下。
【請求項４】
前記クッション材は、上面にシート材を貼着することによりクッション材の上面が前記シート材により覆われている請求項１に記載された靴下。
【請求項５】
前記クッション材は、足が挿入される靴下本体と靴下本体の少なくとも足底部と甲部とに被せられる被せ部材との間に介装されるとともに、靴下本体の足底部の下面または被せ部材の上面に貼着されることによりクッション材の上面が靴下本体の足底部を構成するシート材により覆われている請求項１に記載された靴下。
【請求項６】
前記靴下本体と被せ部材とは一体化され、前記靴下本体が被せ部材の内側に折り込まれている請求項５に記載された靴下。
【発明の詳細な説明】
【技術分野】
【０００１】
この発明は、足に履く靴下に関し、短い靴下に限らず、ストッキングのような太股ないしは腰部まで被せられる長い靴下、さらには足袋のように足の形に作った袋状の履物なども含む広い意味での靴下に関する。
【背景技術】
【０００２】
従来の靴下は、足に履く単なる衣料として用いられ、歩行時などに足裏に掛かる荷重を分散して支持するような工夫は殆どなされていない。靴などの履物では、履き心地の向上、脚部の矯正、健康の増進などの観点から種々の提案がなされている。近年、クッション材として体圧分散性能に優れた低反発性ポリウレタンフォームが開発され、靴や靴中敷への適用が検討されている。このクッション材は荷重に対してゆっくり沈みながらその荷重を支えるという特性を有しており、このクッション材に人体の荷重がかかると、クッション材が変形して体圧を全体に分散させ、身体の一部だけに掛かる圧力を軽減する作用がある。このような特性を利用して例えば靴中敷の素材として低反発ウレタンフォームを用いることが提案されている（例えば、特許文献１）。この種の靴中敷によると、履物の底面との接触感がなくなり、履き心地が向上する。
【０００３】
【特許文献１】登録実用新案第３０８３９５６号公報
【発明の開示】
【発明が解決しようとする課題】
【０００４】
しかし、靴中敷は靴の内部に挿入して用いられるものであるから、靴を履いているときには所期の効果が得られるが、靴を脱いで室内を歩行するときは靴下だけであるから、足裏に体圧が直接かかり、床面との接触感が直接足裏に伝わるため、固い床面については快適な歩行ができない。特に体圧が踵などの足裏の一部に集中作用すると、踵の角質化を招いたり、タコや魚の目を発生させたりする原因になる。
【０００５】
この発明は、上記問題に着目してなされたもので、室内での快適な歩行を実現し、また、踵の角質化やタコや魚の目の発生を防止し得る靴下を提供することを目的とする。
【課題を解決するための手段】
【０００６】
この発明による靴下は、足裏の形状に形成された低反発性ポリウレタンフォームより成るクッション材が足底部に固定されるとともに、前記クッション材の上面は足裏が接触しないようにシート材により覆われて成るものである。
【０００７】
この発明の上記した構成において、「低反発性ポリウレタンフォーム」はそれ単独で用いてもよく、また、外周を防水性のフィルムなどで被覆したものであってもよい。「低反発性ポリウレタンフォーム」は粘弾性を有しているので、これに直接皮膚が触れたとき、皮膚に密着するような感触があり、通気性不良などによる不快感を感じさせる。これを防止するためにクッション材の上面をシート材により覆うようにしたものであり、これにより肌触りを大幅に向上させている。
また、クッション材は足底部に固定されるが、これは着用時にクッション材が移動したり変形したりして破損するのを防止するためである。望ましくは接着剤を用いてクッション材を足底部に固着する。
【０００８】
この発明の一実施態様においては、前記足底部は上下のシート材により構成され、上下のシート材間に前記クッション材を挿入して固定することによりクッション材の上面が上側のシート材により覆われている。好ましい実施態様においては、前記上側のシート材には上下のシート材間に対するクッション材の出し入れが可能な開口部が設けられている。この実施態様によると、クッション材が破損しても、新しいものと容易に取り替えることができる。
【０００９】
この発明の他の実施態様においては、前記クッション材は、上面に布地などのシート材を貼着することによりクッション材の上面が前記シート材により覆われている。この実施態様によると、靴下の内部にクッション材の上面を覆うための特別な構造を設ける必要がない。
【００１０】
この発明のさらに他の実施態様においては、前記クッション材は、足が挿入される靴下本体と靴下本体の少なくとも足底部と甲部とに被せられる被せ部材との間に介装されるとともに、靴下本体の足底部の下面または被せ部材の上面に貼着されることによりクッション材の上面が靴下本体の足底部を構成するシート材により覆われている。靴下本体と被せ部材とは別個独立したものとして構成してもよいが、靴下本体と被せ部材とを一体化して靴下本体が被せ部材の内側に折り込まれるような構成にすれば、取り扱いに便利であり、靴下本体と被せ部材の一方を紛失するようなことがない。
【００１１】
上記した構成の靴下を履いたとき、その靴下に人体の荷重が掛かると、低反発性ポリウレタンフォームより成るクッション材は荷重に対してゆっくり沈むように変形してその荷重を支える。これにより体圧は全体に分散され、足裏の一部だけに圧力が掛かることがない。その結果、室内での快適な歩行が実現され、また、踵の角質化やタコや魚の目の発生が防止される。また、クッション材の上面はシート材によって覆われるので、クッション材に皮膚が接触したときの密着感による不快感を感じさせることがなく、肌触りが良好である。
【発明の効果】
【００１２】
この発明によると、低反発性ポリウレタンフォームより成るクッション材を足底部に固定したので、室内での快適な歩行を実現でき、また、踵の角質化やタコや魚の目の発生を防止し得る。さらに、クッション材に足裏が直接接触しないので、肌触りが良好であり、使用感を向上させることができる。さらにまた、低反発性ポリウレタンフォームは人体の荷重により圧縮変形したとき変形状態を保ち反発力が低いので、靴を履いても窮屈感や圧迫感がなく、履き心地を低下させない。
【発明を実施するための最良の形態】
【００１３】
図１は、この発明の一実施例である靴下の外観を示している。
図示例の靴下は、全体が綿、毛、ナイロンなど、種々の繊維材料をもって製作されており、足底部１と甲部２とで袋状部３が形成されている。前記袋状部３の内部は足の爪先から踵に至る足の全体を収容する空間ａである。前記袋状部３には筒状部４が連続し、筒状部４の内側は足首を通す空間ｂである。筒状部４の上端は開口し、履くときに足先を挿入する挿入口５になっている。
【００１４】
前記足底部１は、一定間隔を隔てて上下に対向するシート材１Ａ，１Ｂをもって構成されている。上側のシート材１Ａと下側のシート材１Ｂとの間はクッション材６を挿入して固定するための空間ｃになっている。前記クッション材６は外形が足裏の形状に形成されている。このクッション材６を前記空間ｃに挿入して固定したとき、上側のシート材１Ａによりクッション材６の上面が覆われるので、クッション材６の上面に足裏が接触することがない。なお、前記空間ｃの厚みをクッション材６の厚みと同じかまたはそれ以下に設定すれば、クッション材６は空間ｃへ挿入するだけで固定される。
この実施例では上側のシート材１Ａは爪先側７と踵側８とに別れており、その境界部分がクッション材６の出し入れが可能な開口部９になっている。
【００１５】
前記クッション材６には、体圧分散性能に優れた低反発性ポリウレタンフォームが用いられている。この低反発性ポリウレタンフォームは荷重に対してゆっくり沈みながらその荷重を支える細胞構造を有するものであり、人体（足）の凹凸に沿って圧縮変形し、体圧を全体に分散させる。圧縮変形したときの反発力は低いので、靴を履いても窮屈感や圧迫感がない。体圧が解除されると元の形状に復帰する。
【００１６】
なお、上記した実施例では、上側のシート材１Ａと下側のシート材１Ｂとは外周縁が袋状部３に一体接合されているが、上側のシート材１Ａを取り外し可能な構成とすれば、上側のシート材１Ａに前記開口部９を設ける必要がない。
【００１７】
また、上記した実施例における上側のシート材１Ａに代えて、図２に示すように、クッション材６の上面に布地より成るシート材１０を接着剤により貼着して、このシート材１０によりクッション材６の上面を覆うようにしてもよい。この実施態様によれば、靴下の内部にクッション材６の上面を覆うための特別の部材を設ける必要がない。この実施例の場合、クッション材６の下面を足底部１の内面に接着剤により接着してクッション材６が動かないように固定する。
【００１８】
図３は、この発明の他の実施例である靴下を示している。
図示例の靴下は、足が挿入される靴下本体１１と、靴下本体１１の足底部１３と甲部１４とに被せられる被せ部材１２とから成る。靴下本体１１の足底部１３と被せ部材１２との間にクッション材６が介装されるもので、図３（１）に示す実施例では被せ部材１２の上面に、図３（２）に示す実施例では靴下本体１１の足底部１３の下面に、それぞれクッション材６が貼着されている。クッション材６の上面は靴下本体１１の足底部１３を構成するシート材により覆われるので、クッション材６の上面に足裏が接触することがない。
【００１９】
図３の実施例は、靴下本体１１と被せ部材１２とを別個独立した部材として構成したものであるが、図４に示す実施例のように、靴下本体１１と被せ部材１２とを一体化したものであってもよい。この実施例のものは、靴下本体１１を被せ部材１２の内部に折り込むようにして使用する（図４（２）参照）。
この実施例では、被せ部材１２は靴下本体１１とほぼ同形状に形成されており、靴下本体１１を被せ部材１２の内部に折り込んで２重構造にしたとき、靴下本体１１の足底部１５と被せ部材１２の足底部１６との間にクッション材６が介装されるものである。クッション材６は被せ部材１２の足底部１６の上面に貼着されているが、靴下本体１１の足底部１５の下面に貼着してもよい。クッション材６の上面は靴下本体１１の足底部１５を構成するシート材により覆われるので、クッション材６の上面に足裏が接触することがない。
【００２０】
上記した構成の靴下を履いたとき、その靴下に人体の荷重が掛かると、低反発性ポリウレタンフォームより成るクッション材６は荷重に対してゆっくり沈むように変形してその荷重を支える。これにより体圧は全体に分散され、足裏の一部だけに圧力が掛かることがない。その結果、室内での快適な歩行が実現され、また、踵の角質化やタコや魚の目の発生が防止される。また、クッション材６の上面はシート材によって覆われるので、クッション材に直接皮膚が接触したときの密着感による不快感を感じさせることがなく、肌触りが良好である。さらに、低反発性ポリウレタンフォームは人体の荷重により圧縮変形したとき変形状態を保ち、その反発力が低いので、靴を履いても窮屈感や圧迫感がなく、履き心地を低下させない。
【図面の簡単な説明】
【００２１】
【図１】この発明の一実施例である靴下の縦断面図である。
【図２】他の実施例である靴下の縦断面図である。
【図３】他の実施例である靴下の縦断面図であり、（１）はクッション材を被せ部材に貼着した実施例を、（２）はクッション材を靴下本体に貼着した実施例を、それぞれ示す。
【図４】他の実施例である靴下の縦断面図であり、（１）は靴下本体と被せ部材とが一体化された構成を示し、（２）は靴下本体を被せ部材に折り込んだ状態を示す。
【符号の説明】
【００２２】
１    足底部
１Ａ，１Ｂ  シート部材
６    クッション材
１０  シート材
１１  靴下本体
１２  被せ部材
１３，１４  足底部
【図１】
2005273045.tif 000003
【図２】
2005273045.tif 000004
【図３】
2005273045.tif 000005
【図４】
2005273045.tif 000006